(57)【要約】      （修正有）【課題】良い熱発散効果を有し、低コストで、全体構造強度が高いLEDブラケットライトを提供する。【解決手段】固定ブロック８の上に２つのロケーションロッド７につながった第二固定ヒンジ９を設け、ランプハウジング３内にロケーションプレート１０を設け、ロケーションプレートの上にボルトを設け、ボルトはランプハウジングと固定プレート２を貫通し、固定プレートにボルトとセットしたナットを設ける。ランプハウジング内にロケーションブロック１４を設け、ロケーションブロックに基板１５を嵌め込み、ロケーションブロックの上に支柱１６を設け、基板の通し溝内に熱発散構造１８があり、熱発散構造にストップセット１０を設け、ストップセットを基板に固定する。固定プレートに通し穴２０を設け、通し穴はランプハウジングを貫通し、通し穴にポルダー２１を設け、ポルダーに熱発散ファン２２を設けた。【選択図】図１
0003206157.tif 000002
【実用新案登録請求の範囲】
【請求項１】
LEDブラケットライトにおいて、
ストップスタンド、固定プレート、ランプハウジング、位置決め部とシェードを含み、前記の固定プレートは位置決め部に固定され、前記の位置決め部には対称的に二つの第一固定ヒンジを設置し、前記の二つの第一固定ヒンジにはすべてロケーションロッドを設け、前記のストップスタンドの上には固定ブロックを設け、前記の固定ブロックの上に2つのロケーションロッドにつながった第二固定ヒンジを設け、前記のランプハウジング内にロケーションプレートを設け、前記のロケーションプレートの上にボルトを設け、前記のボルトはランプハウジングと固定プレートを貫通し設置され、前記の固定プレートに前記のボルトとセットしたナットを設け、前記のランプハウジング内にロケーションブロックを設け、前記のロケーションブロックに基板を嵌め込み、前記のロケーションブロックの上に支柱を設け、前期の支柱の上部はランプハウジングと互いに支え、前記の基板に通し溝を設け、前記の通し溝内に放熱構造があり、前記の放熱構造にストップセットを設け、前記のストップセットを基板に固定し、前記の固定プレートに通し穴を設け、前記の通し穴はランプハウジングを貫通して設置され、前記の通し穴にはポルダーを設け、ポルダーには放熱ファンを設け、前記の放熱構造は内ストップリング、外ストップリングと放熱プレートから構成され、前記の放熱プレートは内ストップリングと外ストップリングの間に固定され、前記のストップセットは外ストップリングに設け、前記のランプハウジングの下部にシェードを設置し、前記のロケーションブロックにコンデンサープレートを設け、前記のコンデンサープレートはアーチ形でロケーションブロックに設置され、前記のロケーションブロックにロケーションブロックを固定する固定ボルトを設け、前記の固定ボルトはロケーションブロックと支柱を貫通して設置され、そしてランプハウジングのネジと固定され、前記の固定プレートの上に保護フレームを設け、前記の保護フレームの内壁に熱発散の通し穴を設け、前記の熱発散の通し穴が内から外まで斜めに設置され、前記の熱発散の通し穴の内に防塵網を設け、熱発散の通し穴は二つ以上ある
ことを特徴とするLEDブラケットライト。
【考案の詳細な説明】
【技術分野】
【０００１】
本発明は一種の熱発散効率を高めるLEDブラケットライトに関する。
【背景技術】
【０００２】
ブラケットライトは壁にインストールされ、照明機能を実現するランプです。LEDを光源とするブラケットライトは省エネと環境保護のため、だんだん伝統的な光源のブラケットライトに代わっています。LED照明技術は日進月歩で発展し、前世紀60年代から今日まで、何代の変革を経て、現在のLED照明市場はすでに一定の規模を形成し、上流製品から下流製品まで、オールインワンの産業体系を形成し、人々の生活水準の進歩につれ、照明に用いるLEDライトは、人々に受け入れられているので、各種規格と型番のLEDブラケットライトは市場でどこでも見ることができます。
【０００３】
しかし、既存のLEDブラケットライトは固定性が良くなく、放熱効果が比較的に劣り、そのためLEDライトの使用寿命は減少し、これは使用者に損失をもたらします。
【考案の概要】
【考案が解決しようとする課題】
【０００４】
本発明は解決する技術問題が、一種の構造が簡単で、使用が便利で、操作が簡単で、放熱効果が良く、通気性に富み、低コスト、インストールと解体が便利で、全体構造強度が高く、適用範囲が広く、使用寿命が長く、安全で信頼性の高い効果を持つ熱発散効率を高めるLEDブラケットライトを提供します。
【課題を解決するための手段】
【０００５】
上述の問題を解決するために、本発明は次の技術方策を採用する。一種の熱発散効率を高めるLEDブラケットライトで、ストップスタンド、固定プレート、ランプハウジング、位置決め部とシェードを含み、前記の固定プレートは位置決め部に固定され、前記の位置決め部には対称に二つの第一固定ヒンジを設置し、前記の二つの第一固定ヒンジにはすべてロケーションロッドを設け、前記のストップスタンドの上には固定ブロックを設け、前記の固定ブロックの上に2つのロケーションロッドにつながった第二固定ヒンジを設け、前記のランプハウジング内にロケーションプレートを設け、前記のロケーションプレートの上にボルトを設け、前記のボルトはランプハウジングと固定プレートを貫通し設置され、前記の固定プレートに前記のボルトとセットしたナットを設け、前記のランプハウジング内にロケーションブロックを設け、前記のロケーションブロックに基板を嵌め込み、前記のロケーションブロックの上に支柱を設け、前期の支柱の上部はランプハウジングと互いに支え、前記の基板に通し溝を設け、前記の通槽内に放熱構造があり、前記の放熱構造にストップセットを設け、前記のストップセットを基板に固定し、前記の固定プレートに通し穴を設け、前記の通し穴はランプハウジングを貫通し設置され、前記の通し穴にはポルダーを設け、ポルダーには放熱ファンを設け、前記の放熱構造は内ストップリング、外ストップリングと放熱プレートから構成され、前記の放熱プレートは内ストップリングと外ストップリングの間に固定され、前記のストップセットは外ストップリングに設け、前記のランプハウジングの下部にシェードを設置し、前記のロケーションブロックにコンデンサープレートを設け、前記のコンデンサープレートはアーチ形でロケーションブロックに設置され、前記のロケーションブロックにロケーションブロックを固定する固定ボルトを設け、前記の固定ボルトはロケーションブロックと支柱を貫通し設置され、そしてランプハウジングのネジと固定され、前記の固定プレートの上に保護フレームを設け、前記の保護フレームの内壁に熱発散の通し穴を設け、前記の熱発散の通し穴が内から外まで斜めに設置され、前記の熱発散の通し穴の内に防塵網を設け、熱発散の通し穴は二つ以上があります。
【０００６】
最適な技術方策として、前記のロケーションブロックに溝を設け、前記のシェードに前記の溝に合わせたビジョウを設け、前記のビジョウが四つあり、前記のロケーションブロックはランプハウジングと密封に配合し、前記の基板の下にLEDライトを設けます。
【０００７】
最適な技術方策として、前記の位置決め部に前記の固定プレートと組み合わせた槽を設け、前記の位置決め部に位置決め部と固定プレートを固定するボルトを設けます。
【０００８】
最適な技術方策として、前記のストップスタンドにインストールプレートを設け、前記のインストールプレートに固定されやすいインストールネジを設け、前記のインストールプレートとストップスタンドは溶接固定されます。
【考案の効果】
【０００９】
本発明は一種の熱発散効率を高めるLEDブラケットライトで、それは構造が簡単で、使用が便利で、操作が簡単で、熱発散効果が良く、通気性に富み、低コスト、インストールと解体が便利で、全体構造強度が高く、適用範囲が広く、使用寿命が長く、安全で信頼性の高い効果を持っています。
【図面の簡単な説明】
【００１０】
【図１】本発明の一種の熱発散効率を高めるLEDブラケットライトの構造図。
【図２】本発明の一種の熱発散効率を高めるLEDブラケットライトの放熱構造構造図。
【図３】本発明の一種の熱発散効率を高めるLEDブラケットライトの局部拡大図。
【図４】本発明の一種の熱発散効率を高めるLEDブラケットライトの位置付け部構造図。
【図５】本発明の一種の熱発散効率を高めるLEDブラケットライトの基板構造図。
【考案を実施するための形態】
【００１１】
図１から図５までに示した一種の熱発散効率を高めるLEDブラケットライトを参照し、ストップスタンド1、固定プレート2、ランプハウジング3、位置決め部４とシェード5を含み、前記の固定プレート2は位置決め部4に固定され、前記の位置決め部4には対称に二つの第一固定ヒンジ6を設置し、前記の二つの第一固定ヒンジ6にはすべてロケーションロッド7を設け、前記のストップスタンド1の上には固定ブロック8を設け、前記の固定ブロック8の上に2つのロケーションロッド7につながった第二固定ヒンジ9設け、前記のランプハウジング3内にロケーションプレート10を設け、前記のロケーションプレート10の上にボルト11を設け、前記のボルト11はランプハウジング3と固定プレート2を貫通し設置され、前記の固定プレート2に前記のボルト11とセットしたナット13を設け、前記のランプハウジング3内にロケーションブロック14を設け、前記のロケーションブロック14に基板15を嵌め込み、前記のロケーションブロック14の上に支柱16を設け、前期の支柱16の上部はランプハウジング3と互いに支え、前記の基板15に通し溝17を設け、前記の通槽17内に放熱構造18があり、前記の18にストップセット19を設け、前記のストップセット19を基板15に固定し、前記の固定プレート2に通し穴20を設け、前記の通し穴20はランプハウジング3を貫通し設置され、前記の通し穴20にはポルダー21を設け、ポルダー21には放熱ファン22を設け、前記の18は内ストップリング23、外ストップリング24と放熱プレート25から構成され、前記の放熱プレート25は内ストップリング23と外ストップリング24の間に固定され、前記のストップセット19は外ストップリング24に設け、前記のランプハウジング3の下部にシェード5を設置し、前記のロケーションブロック14にコンデンサープレート30を設け、前記のコンデンサープレート30はアーチ形でロケーションブロック14に設置され、前記のロケーションブロック14にロケーションブロッ14を固定する固定ボルト26を設け、前記の固定26はロケーションブロック14と支柱16を貫通し設置され、そしてランプハウジング3のネジと固定され、前記の固定プレート2の上に保護フレーム27を設け、前記の保護フレーム27の内壁に熱発散の通し穴271を設け、前記の熱発散の通し穴271が内から外まで斜めに設置され、前記の熱発散の通し穴271内に防塵網272を設け、熱発散の通し穴271は二つ以上があります。
【００１２】
本発明で１つの比較的に良い実施例で、前記のロケーションブロック14に溝28を設け、前記のシェード5に前記の28に合わせたビジョウ29を設け、前記のビジョウ29が四つあり、前記のロケーションブロック14はランプハウジング3と密封に配合し、前記の基板15の下にLEDライト301を設けます。
【００１３】
本発明で１つの比較的に良い実施例で、前記の位置決め部４に前記の固定プレート2と組み合わせた槽101を設け、前記の位置決め部4に位置決め部4と固定プレート2を固定するボルト102を設けます。
【００１４】
本発明で１つの比較的に良い実施例で、前記のストップスタンド&#9352;にインストールプレート103を設け、前記のインストールプレート103に固定されやすいインストールネジ104を設け、前記のインストールプレート103とストップスタンド&#9352;は溶接固定されます。
【００１５】
さらに、前記の放熱構造は内ストップリング、外ストップリングと放熱プレートから構成され、前記の放熱プレートは内ストップリングと外ストップリングの間に固定され、前記のストップセットは外ストップリングに設け、前記のランプハウジングの下部にシェードを設置し、前記のロケーションブロックにコンデンサープレートを設け、前記のコンデンサープレートはアーチ形でロケーションブロックに設置され、前記のロケーションブロックにロケーションブロックを固定する固定ボルトを設け、前記の固定ボルトはロケーションブロックと支柱を貫通し設置され、そしてランプハウジングのネジと固定され、前記の固定プレートの上に保護フレームを設け、設けた放熱構造を通じ設置し、ブラケットライトを使用する時、放熱プレートはLEDライトが生した熱量を吸収し、そして放熱ファンを通じ配合設置し、放熱構造の放熱効果を増加し、設けたシェードを通じ、このブラケットライトに保護の役割を果たすことができ、外部雑物がLEDライトに触れることにより後期正常に使えないことを免れ、そしてシェードをインストールする構造設置を通じ、シェードのインストールと解体に便利で、また本実用で言及されたシェードは透明材質で作られ、設けたコンデンサープレートを通じ、このブラケットライトの光線効果を増加し、乱視現象を避けることができます。
【００１６】
さらに、前記のロケーションブロックにロケーションブロックを固定する固定ボルトを設け、前記の固定ボルトはロケーションブロックと支柱を貫通し設置され、そしてランプハウジングのネジと連結し、ロケーションブロックはシェードに配合した後、設けた支柱と固定ボルトの配合により、ロケーションブロックを堅実にシェードに固定することができ、後期にシェードとLEDライトのインストールに便宜をもたらします。
【００１７】
本発明一種の熱発散効率を高めるLEDブラケットライトは以下の長所があり、使用時、位置決め部に固定プレートと組み合わせた槽を設置し、位置決め部に位置決め部を固定する固定プレートとランプハウジングのボルトを設置することにより、固定プレートを固定する効果を増やすことができ、設けた放熱構造と放熱ファンを通じ、このブラケットライトの放熱効果を増やすことができ、放熱プレートの構造設置を通じ、放熱プレートの放熱面積を増やし、これによって有効にその放熱効果を増やし、設けたコンデンサープレートにより、このブラケットライトの光の凝集効果、照明効果を増加することができ、シェードを固定プレートに固定し、LEDライトのシェードのインストールと解体に便利で、シェード内の構造設置により、基板及びLEDライトのインストールと解体に便利で、そのうえ構造は固定堅実で、溝とビジョウを組み合わせシェードを固定し、シェードのインストールに便利で、LEDライトを保護する効果を増加すると同時に、外部雑物がLEDライトに触れることにより後期正常に使えないことを免れることができ、熱発散の通し穴を通じ熱発散効率を高めます。その構造は簡単で、使用が便利で、操作が簡単で、放熱効果が良く、通気性に富み、低コスト、インストールと解体が便利で、全体構造強度が高く、適用範囲が広く、使用寿命が長く、安全で信頼できる役割を持っています。
【００１８】
上述のように、本発明の具体的な実施方式だけで、しかし本発明の保護範囲は決してこれに限らなく、いかなる創造的な労働を経過しなく考え付いた変化や替えは、全て本発明の保護範囲以内にカバーすべき、そのため、本発明の保護範囲は権利請求書に限定した保護範囲を基準とします。
【図２】
0003206157.tif 000003
【図１】
0003206157.tif 000004
【図３】
0003206157.tif 000005
【図４】
0003206157.tif 000006
【図５】
0003206157.tif 000007